(57)【要約】【課題】本発明は、種々の仕様のＰＷＭ調光器に対応して最深調光点灯及び消灯を実現するＬＥＤ点灯装置を提供する。【解決手段】ＬＥＤ点灯装置１は、入力されるＰＷＭ調光信号で指定される入力オンデューティが、選択可能な第１の上限オンデューティＵ１未満である場合には入力オンデューティに応じた調光点灯用の電流指令値を出力し、入力オンデューティが第１の上限オンデューティＵ１以上でかつ第１の上限オンデューティＵ１より大きい選択可能な所定の上限オンデューティＵ２、Ｕ３未満の場合には最深調光点灯用の電流指令値を出力し、入力オンデューティが所定の上限オンデューティＵ２、Ｕ３以上の場合には停止信号を出力するように構成された調光制御部２０と、調光制御部２０から電流指令値が入力された場合にはそれに応じた電流をＬＥＤ２に供給し、停止信号が入力された場合には電流出力を停止するように構成された電源回路部１０を備える。【選択図】  図１
2014203631.tif 000002
【特許請求の範囲】
【請求項１】
ＬＥＤ点灯装置であって、
入力されるＰＷＭ調光信号で指定される入力オンデューティが、選択可能な第１の上限オンデューティ未満である場合には前記入力オンデューティに応じた調光点灯用の電流指令値を出力し、前記入力オンデューティが前記第１の上限オンデューティ以上でかつ該第１の上限オンデューティより大きい選択可能な所定の上限オンデューティ未満の場合には最深調光点灯用の電流指令値を出力し、前記入力オンデューティが前記所定の上限オンデューティ以上の場合には停止信号を出力するように構成された調光制御部と、
前記調光制御部から前記電流指令値が入力された場合には該電流指令値に応じた電流をＬＥＤに供給し、前記停止信号が入力された場合には電流出力を停止するように構成された電源回路部と
を備えたＬＥＤ点灯装置。
【請求項２】
請求項１に記載のＬＥＤ点灯装置であって、
前記所定の上限オンデューティがヒステリシス幅を有し、該ヒステリシス幅が第２の上限オンデューティ及び該第２の上限オンデューティより大きい第３の上限オンデューティで規定され、前記入力オンデューティが該第２の上限オンデューティ以上でかつ該第３の上限オンデューティ未満のヒステリシス区間にある場合に、
前記入力オンデューティが、前記第２の上限オンデューティ未満のオンデューティから増加して前記ヒステリシス区間に入った場合には、前記調光制御部が前記最深調光点灯用の電流指令値を出力し、前記入力オンデューティが、前記第３の上限オンデューティ以上のオンデューティから減少して前記ヒステリシス区間に入った場合には、前記調光制御部が前記停止信号を出力するように構成されたＬＥＤ点灯装置。
【請求項３】
請求項１又は２に記載のＬＥＤ点灯装置において、前記入力オンデューティが０以上でかつ前記第１の上限オンデューティよりも小さい選択可能な下限オンデューティ未満の場合、前記調光制御部が全光点灯用の電流指令値を出力するように構成されたＬＥＤ点灯装置。
【請求項４】
請求項１から３のいずれか一項に記載のＬＥＤ点灯装置と、前記ＬＥＤとを備えた光源装置。
【発明の詳細な説明】
【技術分野】
【０００１】
本発明はＰＷＭ調光器対応のＬＥＤ点灯装置及びそれを用いた光源装置に関する。
【背景技術】
【０００２】
近年、ＰＷＭ調光器に対応したＬＥＤ点灯装置が普及している。ＬＥＤ点灯装置では、ＰＷＭ調光器からのＰＷＭ調光信号のデューティ比に応じてＬＥＤの明るさが制御される。一般に、ＬＥＤ点灯装置は、ＰＷＭ調光信号のオンデューティの増加に対してＬＥＤへの出力電流が小さくなるように設計される。
【０００３】
特許文献１は、ＬＥＤ等を用いた光源装置において、ＰＷＭ調光信号のオンデューティ比に対する光出力の傾きをＪＩＳ規格に合わせるための構成を開示する。同文献では、ＰＷＭ調光信号を直流化した電圧が複数の閾値と比較され、比較結果に応じて変換電圧が決定される。そして、その変換電圧がさらに所定の直流電圧に関して補正するよう演算処理され、その演算結果に基づいて光出力が制御される。
【先行技術文献】
【特許文献】
【０００４】
【特許文献１】特開２０１１−１６５３６３号公報
【発明の概要】
【発明が解決しようとする課題】
【０００５】
ところで、市販されている汎用のＰＷＭ調光器のオンデューティ範囲は個々の仕様によって異なり、統一されているわけではない。例えば、調光器によって、出力可能なオンデューティ範囲の最小値は０％〜１０％程度の範囲で区々であり、その最大値も９０％〜１００％程度の範囲で区々である。即ち、ＰＷＭ調光器のオンデューティ範囲はその仕様によって異なる。しかし、特許文献１の構成によると、ＰＷＭ調光器のオンデューティ範囲がその仕様によって異なることが考慮されていない。その結果として、狭いオンデューティ範囲の調光器が取り付けられた場合に、全光出力又は最深調光出力を行うことができない可能性がある。
【０００６】
また、ＰＷＭ調光器のデューティ範囲にかかわらず、消灯機能が確保されることが望ましい。ＰＷＭ調光器の操作によってＬＥＤ光源を消灯できない場合、ユーザは主電源（商用電源）をオフにする以外に消灯を行うことができない。しかし、例えば、同室内に多数の光源装置が設置されている場合に、ユーザは自身が操作する主電源スイッチがどの光源装置に対応しているのかを把握できないことがある。そのため、いずれか１つの光源装置を消灯しようとするユーザは、誤って他の光源装置を消灯させてしまう可能性があり、更には次から次へと消灯対象でない光源装置を消灯及び再点灯させて消灯対象の光源装置をつきとめる必要が生じてしまう。このような無用な消灯動作は同室内の他のユーザに迷惑がかかる場合があり、好ましくない。ＰＷＭ調光器でＬＥＤ光源を消灯させることができれば、ユーザは自身の操作する調光器がどの光源装置に対応しているのかを、調光操作によって把握することができ、無用な消灯を回避することができる。従って、種々の仕様のＰＷＭ調光器に対して光源装置側で消灯機能が実現されることが望ましい。
【０００７】
そこで、本発明は、種々の仕様のＰＷＭ調光器に対応して全光点灯、最深調光点灯及び消灯を実現するＬＥＤ点灯装置及び光源装置を提供することを課題とする。
【課題を解決するための手段】
【０００８】
本発明のＬＥＤ点灯装置は、入力されるＰＷＭ調光信号で指定される入力オンデューティが、選択可能な第１の上限オンデューティ未満である場合には入力オンデューティに応じた調光点灯用の電流指令値を出力し、入力オンデューティが第１の上限オンデューティ以上でかつ第１の上限オンデューティより大きい選択可能な所定の上限オンデューティ未満の場合には最深調光点灯用の電流指令値を出力し、入力オンデューティが所定の上限オンデューティ以上の場合には停止信号を出力するように構成された調光制御部と、調光制御部から電流指令値が入力された場合には電流指令値に応じた電流をＬＥＤに供給し、停止信号が入力された場合には電流出力を停止するように構成された電源回路部を備える。
【０００９】
本発明のＬＥＤ点灯装置によると、入力オンデューティが、選択可能な第１の上限オンデューティ以上の場合には最深調光点灯が行われ、さらに選択可能な所定のオンデューティ以上の場合には消灯される。従って、異なるオンデューティ範囲を持つＰＷＭ調光器がＬＥＤ点灯装置に接続される場合に対して上限オンデューティ及び所定のオンデューティがＰＷＭ調光器のオンデューティ範囲に含まれるので、最深調光点灯及び消灯を確実に実現することができる。
【００１０】
上記のＬＥＤ点灯装置において、所定の上限オンデューティがヒステリシス幅を有し、ヒステリシス幅が第２の上限オンデューティ及び第２の上限オンデューティより大きい第３の上限オンデューティで規定され、入力オンデューティが第２の上限オンデューティ以上でかつ第３の上限オンデューティ未満のヒステリシス区間にある場合に、入力オンデューティが、第２の上限オンデューティ未満のオンデューティから増加してヒステリシス区間に入った場合には、調光制御部が最深調光点灯用の電流指令値を出力し、入力オンデューティが、第３の上限オンデューティ以上のオンデューティから減少してヒステリシス区間に入った場合には、調光制御部が停止信号を出力するように構成される。
【００１１】
上記構成によると、最深調光点灯と消灯との境界付近におけるオンデューティ範囲において、ヒステリシス区間を設けたことにより、ＰＷＭ調光信号の変動に起因する不要な点滅動作が確実に回避される。
【００１２】
上記のＬＥＤ点灯装置において、入力オンデューティが０以上で、かつ第１の上限オンデューティよりも小さい選択可能な下限オンデューティ未満の場合、調光制御部が全光点灯用の電流指令値を出力するように構成される。この構成により、異なるオンデューティ範囲を持つＰＷＭ調光器がＬＥＤ点灯装置に接続される場合に対して下限オンデューティがＰＷＭ調光器のオンデューティ範囲に含まれるので、全光点灯を確実に実現することができる。
【００１３】
本発明の光源装置は、上記のＬＥＤ点灯装置と、ＬＥＤ点灯装置からの出力電流が投入されるＬＥＤとを備える。これにより、光源装置が対応できるＰＷＭ調光器が拡充され、光源装置の汎用性が高まる。
【図面の簡単な説明】
【００１４】
【図１】本発明の一実施形態によるＬＥＤ点灯装置及び光源装置を示す図である。
【図２】本発明のＬＥＤ点灯装置における入力オンデューティと電流指令値の関係を示す図である。
【図３Ａ】本発明のＬＥＤ点灯装置の制御を示すフローチャートである。
【図３Ｂ】本発明のＬＥＤ点灯装置の制御を示すフローチャートである。
【図４】本発明の他の実施形態によるＬＥＤ点灯装置及び光源装置を示す図である。
【発明を実施するための形態】
【００１５】
実施形態１．
図１に、本発明の第１の実施形態による光源装置を示す。光源装置３はＬＥＤ点灯装置１及びＬＥＤ２からなる。ＬＥＤ点灯装置１は電源回路部１０及び調光制御部２０を備え、電源回路部１０の入力端には交流電源ＡＣ（例えば、商用電源）が接続され、調光制御部２０の入力端にはＰＷＭ（Pulse Width Modulation）調光器３０が接続される。ＬＥＤ２は電源回路部１０の出力端に直列接続された複数のＬＥＤからなる。
【００１６】
電源回路部１０は、入力回路１１、ＡＣ−ＤＣ変換回路１２、電流制御回路１３及び電流検出回路１４を備え、交流電源ＡＣからの入力交流電力を、調光制御部２０からの電流指令値に応じた直流電流に変換してＬＥＤ２に供給する。また、電源回路部１０は調光制御部２０から停止信号が入力された場合には、その出力動作を停止する。
【００１７】
入力回路１１は電流ヒューズ及びノイズフィルタを備える。ＡＣ−ＤＣ変換回路１２は、交流電源ＡＣからの入力交流電圧を整流及び平滑し、又は整流、昇圧及び平滑し、直流電圧を定電流回路１３に出力する。電流制御回路１３は、フライバックコンバータ回路、降圧チョッパ回路等のＤＣ−ＤＣ降圧コンバータ回路からなり、電流検出回路１４は抵抗からなる。電流制御回路１３は調光制御部２０から入力される電流指令値と電流検出回路１４から入力される電流検出値とが一致するように、出力電流をフィードバック制御する。
【００１８】
調光制御部２０は、調光信号入力回路２１、積分回路２２、Ａ／Ｄコンバータ２３、マイクロコンピュータ２４（以下、「マイコン２４」という）及びＤ／Ａコンバータ２５を備え、ＰＷＭ調光器３０から入力されるＰＷＭ調光信号を電流指令値に変換する。また、調光制御部２０は、ＰＷＭ調光信号に応じて電源回路部１０の動作を停止させるための停止信号を出力する。なお、ＰＷＭ調光信号は一般に、１００Ｈｚ〜１ｋＨｚ、振幅１０ＶのＰＷＭ信号である。
【００１９】
調光信号入力回路２１は、抵抗Ｒ１、抵抗Ｒ２及びフォトカプラＰＣを備え、フォトカプラＰＣは入力側の逆並列された２つのフォトダイオード並びに出力側のフォトトランジスタを含む。ＰＷＭ調光器３０からのＰＷＭ調光信号が入力されると、抵抗Ｒ１によって電流制限されたＰＷＭ調光信号がフォトカプラＰＣのフォトダイオードに入力される。フォトダイオードが逆並列に接続されているので、ＰＷＭ調光器３０の接続極性にかかわらず、ＰＷＭ調光信号のオン期間にフォトダイオードのいずれか一方が発光し、それに応じてフォトトランジスタがオンする。フォトトランジスタのコレクタ端子は抵抗Ｒ２を介して制御電源ＶＤＤに接続される。従って、フォトトランジスタがオンのときには積分回路２２にローレベル出力が入力され、フォトトランジスタがオフのときには積分回路２２にハイレベル出力が入力される。これにより、積分回路２２には、反転されたＰＷＭ調光信号が、制御電源ＶＤＤの振幅で入力される。このように、ＰＷＭ調光信号入力回路２１によって、ＰＷＭ調光信号が減衰されて入力される場合であっても、ＰＷＭ調光信号が成形されるとともに所望のレベルの振幅の信号に変換される。
【００２０】
積分回路２２は、入力された反転ＰＷＭ調光信号を積分して、ＰＷＭ調光信号のオンデューティ幅に対して単調減少するアナログ電圧を出力する。Ａ／Ｄコンバータ２３は積分回路２２から入力されるアナログ電圧をデジタルデータに変換する。マイコン２４はＡ／Ｄコンバータ２３から入力されるデジタルデータを所定の電流指令値（デジタル値）に変換する。また、マイコン２４はＡ／Ｄコンバータ２３から入力されるデジタルデータが所定の条件にあるときは停止信号を出力する。このマイコン２４における電流指令値への変換及び停止信号の出力の詳細については後述する。Ｄ／Ａコンバータ２５はマイコン２４からのデジタルの電流指令値をアナログの電流指令値に変換する。このＤ／Ａコンバータ２５からの電流指令値が電源回路部１０の電流制御回路１３に入力される。なお、Ｄ／Ａコンバータ２５は、ＰＷＭ信号発生器によって生成されるＰＷＭパルス列を積分回路により平滑する回路で代替されてもよい。
【００２１】
以上により、交流電源ＡＣが投入された状態でユーザがＰＷＭ調光器３０を操作すると、その操作に応じて調光制御回路２０において電流指令値又は停止信号を生成され、それに応じて電源回路部１０によってＬＥＤ２の調光率及び点灯状態が制御される。
【００２２】
次に、上述したマイコン２４における電流指令値への変換及び停止信号の出力の詳細について説明する。図２に、ＰＷＭ調光器３０から入力されるＰＷＭ調光信号で指定されるオンデューティ（以下、「入力オンデューティ」という）と、マイコン２４が決定する電流指令値との関係を示す。図２において、横軸は入力オンデューティＳを示し、縦軸は電流指令値Ｔを示す。なお、一般の照明器具においては、入力オンデューティＳの増加に対して調光率（明るさ）は減少するように設定されるので、本実施形態もその原則に従うものとする。
【００２３】
マイコン２４は、下限オンデューティＬ１並びに上限オンデューティＵ１、Ｕ２及びＵ３が記憶される。なお、０＜Ｌ１＜Ｕ１＜Ｕ２＜Ｕ３＜１００であり、これらの値はユーザ等によって選択可能である。下限オンデューティＬ１並びに上限オンデューティＵ１、Ｕ２及びＵ３は、ＬＥＤ点灯装置１の製造時にマイコン２４にこれらの値を記憶させるときに選択されてもよいし、ＬＥＤ点灯装置１の設置時に、外部から操作可能なボリューム抵抗又はディップスイッチ等が操作されることにより選択されてもよい。電流指令値Ｔは調光率（又は調光度）に略比例し、電流指令値Ｔが大きいほど調光率が高くＬＥＤ２は明るく点灯し、電流指令値Ｔが小さいほど調光率は低くＬＥＤ２は暗く点灯する。なお、以降の説明において、電流指令値Ｔについて、全光点灯用の最大値（調光率１００％に対応）をＴｍａｘ、最深調光点灯用の最小値（調光率５％程度に対応）をＴｍｉｎとする。なお、最深調光率は５〜１０％程度であればよい。
【００２４】
入力オンデューティＳが０％以上でかつ下限オンデューティＬ１未満の場合、調光制御部２０のマイコン２４は最大電流指令値Ｔｍａｘを出力する。入力オンデューティＳが下限オンデューティＬ１以上でかつ上限オンデューティＵ１未満である場合、マイコン２４は入力オンデューティＳに応じた調光点灯用の電流指令値Ｔを出力する。本実施形態では、電流指令値Ｔは入力オンデューティＳの一次関数となり、具体的には、Ｔ＝Ｔｍａｘ−（Ｔｍａｘ−Ｔｍｉｎ）／（Ｕ１−Ｌ１）×（Ｓ−Ｌ１）となる。
【００２５】
入力オンデューティＳが上限オンデューティＵ１以上で上限オンデューティＵ２未満の場合、マイコン２４は最小電流指令値Ｔｍｉｎを出力し、入力オンデューティＳが上限オンデューティＵ２又はＵ３以上１００％以下の場合には、マイコン２４は停止信号を出力する。ここで、上限オンデューティＵ２以上でかつ上限オンデューティＵ３未満の区間はヒステリシス区間であり、上限オンデューティＵ２及びＵ３によってヒステリシス幅が規定される。
【００２６】
入力オンデューティＳが、上限オンデューティＵ２未満のオンデューティから増加してヒステリシス区間に入った場合には、入力オンデューティＳがヒステリシス区間にある限り、マイコン２４は最小電流指令値Ｔｍｉｎを出力する。その後、入力オンデューティＳが上限オンデューティＵ３以上となると、マイコン２４が停止信号を出力してＬＥＤ２が消灯される。
【００２７】
一方、入力オンデューティＳが、上限オンデューティＵ３以上のオンデューティから減少してヒステリシス区間に入った場合には、入力オンデューティＳがヒステリシス区間にある限り、マイコン２４は停止信号の出力を継続してＬＥＤ２の消灯を維持する。その後、入力オンデューティＳが上限オンデューティＵ２未満となると、マイコン２４は停止信号を解除してＬＥＤ２が最深調光度で点灯される。
【００２８】
このように、最深調光点灯と消灯との境界点において、ヒステリシス区間Ｕ２〜Ｕ３を設けたことにより、ＰＷＭ調光信号の変動に起因して消灯と点灯が繰り返される不安定な状態を回避することができる。
【００２９】
下限オンデューティＬ１並びに上限オンデューティＵ１及びＵ２は、市販されているＰＷＭ調光器３０の仕様に応じて決定されるようにすればよい。例えば、下限オンデューティＬ１は、市販のＰＷＭ調光器３０の中で最大の下限オンデューティを持つＰＷＭ調光器の下限オンデューティ以上とすればよい。同様に、上限オンデューティＵ１は、市販のＰＷＭ調光器３０の中で最小の上限オンデューティを持つＰＷＭ調光器の上限オンデューティ以下とすればよい。これにより、ＬＥＤ点灯装置１において、あらゆるＰＷＭ調光器に対して、そのオンデューティ範囲に下限オンデューティＬ１〜上限オンデューティＵ１が含まれることになり、全光点灯から最深調光点灯が実現される。またさらに、上限オンデューティＵ３は市販のＰＷＭ調光器３０の中で最小の下限オンデューティを持つＰＷＭ調光器の上限オンデューティ以下とすることが望ましい。これにより、ＬＥＤ点灯装置１において、あらゆるＰＷＭ調光器に対して、オンデューティ範囲に下限オンデューティＬ１〜上限オンデューティＵ３が含まれることになり、消灯機能が実現される。
【００３０】
なお、下限オンデューティＬ１が１０〜１５％程度であれば、ほとんどの市販のＰＷＭ調光器のオンデューティ範囲が下限オンデューティＬ１以上に含まれ、全光点灯が確実に実現される。また、上限オンデューティＵ１が８５〜９０％程度であれば、ほとんどの市販のＰＷＭ調光器のオンデューティ範囲が上限オンデューティＵ１以下に含まれることになり、最深調光点灯が確実に実現される。またさらに、上限オンデューティＵ３が８５〜９０％程度であれば、ほとんどの市販のＰＷＭ調光器のオンデューティ範囲が上限オンデューティＵ３以下に含まれることになり、消灯機能が確実に実現される。また、ヒステリシス幅（Ｕ２〜Ｕ３）は１〜３％程度であればよく、上限オンデューティＵ２と上限オンデューティＵ１の差は０〜５％程度であればよい。一例として、本実施形態においては、Ｌ１＝１５％、Ｕ１＝８５％、Ｕ２＝８８％、Ｕ３＝９０％であるものとするが、本発明はこれに限定されない。
【００３１】
なお、上限オンデューティＵ１、Ｕ２及びＵ３は個別に選択可能であってもよいし、連動的に選択可能であってもよい。連動的に選択可能な場合とは、Ｕ１、Ｕ２及びＵ３のいずれか１つの特定オンデューティを設定可能として、残りの上限オンデューティがその特定上限オンデューティに対して等差的若しくは等比的に、又は所定のテーブルに従って自動的に決定される態様という。
【００３２】
図３Ａ及び図３Ｂに、ＬＥＤ点灯装置１の制御のフローチャートを示す。
図３Ａにおいて、交流電源ＡＣが投入されることにより処理が開始される。
ステップＳ１において、マイコン２４は電流出力状態をＳＷ＝０として停止信号を出力する。従って、電源回路部１０が起動してもＬＥＤ２に電流が出力されることはない。なお、以降の説明において、電流出力状態がＳＷ＝０で停止信号がアクティブとなり、電流出力状態がＳＷ＝１で停止信号が解除されるものとする。
ステップＳ２において、マイコン２４は、選択された下限オンデューティＬ１並びに上限オンデューティＵ１、Ｕ２及びＵ３をそれぞれセットする。
【００３３】
ステップＳ１０において、マイコン２４はＡ／Ｄコンバータ２３からのデジタルデータを取り込んで入力オンデューティＳを読み込む。
【００３４】
ステップＳ１１において、マイコン２４は入力オンデューティＳが上限オンデューティＵ３以上か否かを判断する。入力オンデューティＳが上限オンデューティＵ３以上である場合（ステップＳ１１、Ｙｅｓ）、ステップＳ１２において、マイコン２４は、ＬＥＤ２を点灯させないために電流出力状態をＳＷ＝０に維持する。入力オンデューティＳが上限オンデューティＵ３未満である場合（ステップＳ１１、Ｎｏ）、処理はステップＳ１３に進む。
【００３５】
ステップＳ１３において、マイコン２４は入力オンデューティＳが上限オンデューティＵ２以上かつ上限オンデューティＵ３未満か否かを判断する。入力オンデューティＳが上限オンデューティＵ２以上かつ上限オンデューティＵ３未満である場合（ステップＳ１３、Ｙｅｓ）、処理はステップＳ１４に進む。ステップＳ１４において、マイコン２４は、ＬＥＤ２を点灯させないためにＳＷ＝０としてもよいし、ＬＥＤ２を最深調光点灯させるためにＳＷ＝１及びＴ＝Ｔｍｉｎとしてもよい。なお、ステップＳ１４の動作については、初期設定によって上記のいずれかが設定されているものとする。入力オンデューティＳが上限オンデューティＵ２未満である場合（ステップＳ１３、Ｎｏ）、処理はステップＳ１５に進む。
【００３６】
ステップＳ１５において、マイコン２４は入力オンデューティＳが上限オンデューティＵ１以上かつ上限オンデューティＵ２未満か否かを判断する。入力オンデューティＳが上限オンデューティＵ１以上かつ上限オンデューティＵ２未満である場合（ステップＳ１５、Ｙｅｓ）、ステップＳ１６において、マイコン２４は、ＬＥＤ２を最深調光点灯させるためにＳＷ＝１及びＴ＝Ｔｍｉｎとする。入力オンデューティＳが上限オンデューティＵ１未満である場合（ステップＳ１５、Ｎｏ）、処理はステップＳ１７に進む。
【００３７】
ステップＳ１７において、マイコン２４は入力オンデューティＳが下限オンデューティＬ１未満か否かを判断する。入力オンデューティＳが下限オンデューティＬ１未満である場合（ステップＳ１７、Ｙｅｓ）、ステップＳ１８において、マイコン２４は、ＬＥＤ２を全光点灯させるためにＳＷ＝１及びＴ＝Ｔｍａｘとする。入力オンデューティＳが下限オンデューティＬ１以上である場合（ステップＳ１７、Ｎｏ）、即ち、入力オンデューティＳが下限オンデューティＬ１以上かつ上限オンデューティＵ１未満である場合、処理はステップＳ１９に進む。
【００３８】
ステップＳ１９において、マイコン２４は入力オンデューティＳに応じた調光点灯を行うために、ＳＷ＝１とするとともに電流指令値Ｔ＝Ｔｍａｘ−（Ｔｍａｘ−Ｔｍｉｎ）／（Ｕ１−Ｌ１）×（Ｓ−Ｌ１）を演算する。
【００３９】
ステップＳ２０では、電流制御回路１３において停止信号の有無が検出される。ＳＷ＝１の場合には（ステップＳ２０、Ｙｅｓ）、処理はステップＳ２１に進み、ＳＷ＝０の場合には（ステップＳ２０、Ｎｏ）、処理はステップＳ２２に進み、電流制御回路１３の停止状態が維持される。
【００４０】
ステップＳ２１では、電流制御回路１３において、マイコン２４から入力される電流指令値Ｔと電流検出回路１４によって検出される電流検出値が一致するように出力電流がフィードバック制御される。
【００４１】
図３Ａを参照して、ＬＥＤ点灯装置１の起動時の動作を説明した。次に、図３Ｂ（一部図３Ａ）を参照して、ＬＥＤ点灯装置１の起動後の動作を説明する。
【００４２】
ＬＥＤ２が点灯状態となったステップＳ２１の後のステップＳ３０において、マイコン２４はＡ／Ｄコンバータ２３からのデジタルデータを取り込んで入力オンデューティＳを読み込む。
【００４３】
ステップＳ３１において、マイコン２４は入力オンデューティＳが上限オンデューティＵ３以上か否かを判断する。入力オンデューティＳが上限オンデューティＵ３以上である場合（ステップＳ３１、Ｙｅｓ）、処理はステップＳ３２に進み、入力オンデューティＳが上限オンデューティＵ３未満である場合（ステップＳ３１、Ｎｏ）、処理はステップＳ３５に進む。
【００４４】
ステップＳ３２において、マイコン２４はＬＥＤ２を消灯させるために電流出力状態をＳＷ＝０とし、処理はステップＳ２０に戻る。
【００４５】
ステップＳ３５において、マイコン２４は入力オンデューティＳが上限オンデューティＵ１以上かつ上限オンデューティＵ３未満か否かを判断する。入力オンデューティＳが上限オンデューティＵ１以上かつ上限オンデューティＵ３未満である場合（ステップＳ３５、Ｙｅｓ）処理はステップＳ３６に進む。入力オンデューティＳが上限オンデューティＵ１未満である場合（ステップＳ３５、Ｎｏ）、処理はステップＳ３７に進む。
【００４６】
ステップＳ３６において、マイコン２４はＬＥＤ２を最深調光点灯させるためにＴ＝Ｔｍｉｎとする。なお、電流出力状態はＳＷ＝１に維持される。ステップＳ３６の後、処理はステップＳ２０に戻る。
【００４７】
ステップＳ３７において、マイコン２４は入力オンデューティＳが下限オンデューティＬ１未満か否かを判断する。入力オンデューティＳが下限オンデューティＬ１未満である場合（ステップＳ３７、Ｙｅｓ）処理はステップＳ３８に進む。入力オンデューティＳが下限オンデューティＬ１以上である場合（ステップＳ３７、Ｎｏ）、即ち、入力オンデューティＳが下限オンデューティＬ１以上かつ上限オンデューティＵ１未満である場合処理はステップＳ３９に進む。
【００４８】
ステップＳ３８において、マイコン２４は、ＬＥＤ２を全光点灯させるためにＴ＝Ｔｍａｘとする。なお、電流出力状態はＳＷ＝１に維持される。ステップＳ３８の後、処理はステップＳ２０に戻る。
【００４９】
ステップＳ３９において、マイコン２４は入力オンデューティＳに応じた調光点灯を行うために、電流指令値Ｔ＝Ｔｍａｘ−（Ｔｍａｘ−Ｔｍｉｎ）／（Ｕ１−Ｌ１）×（Ｓ−Ｌ１）を演算する。なお、電流出力状態はＳＷ＝１に維持される。ステップＳ３９の後、処理はステップＳ２０に戻る。
【００５０】
ＬＥＤ２が消灯状態となっているステップＳ２２の後のステップＳ４０において、マイコン２４はＡ／Ｄコンバータ２３からのデジタルデータを取り込んで入力オンデューティＳを読み込む。
【００５１】
ステップＳ４１において、マイコン２４は入力オンデューティＳが上限オンデューティＵ２以上か否かを判断する。入力オンデューティＳが上限オンデューティＵ２以上である場合（ステップＳ４１、Ｙｅｓ）、処理はステップＳ４０に戻る。即ち、入力オンデューティＳが上限オンデューティＵ２未満となるまで消灯状態が維持される。入力オンデューティＳが上限オンデューティＵ２未満となった場合（ステップＳ４１、Ｎｏ）、処理はステップＳ４２に進む。
【００５２】
ステップＳ４２において、マイコン２４は、ＬＥＤ２を最深調光点灯させるために電流出力状態をＳＷ＝１とするとともにＴ＝Ｔｍｉｎとして、処理はステップＳ２０に戻る。
【００５３】
実施形態２．
図４に、本発明の第２の実施形態による光源装置を示す。本実施形態の光源装置３も、第１の実施形態と同様に、ＬＥＤ点灯装置１及びＬＥＤ２からなる。本実施形態のＬＥＤ点灯装置１は、第１の実施形態の積分回路２２及びＡ／Ｄコンバータ２３が周波数カウンタ２６によって置換えられた点を除いて第１の実施形態のものと同様である。周波数カウンタ２６は、ＰＷＭ調光器３０からのＰＷＭ調光信号のオンデューティ・パーセントを直接読み取り、読み取った値をマイコン２４に出力する。この構成によって、第１の実施形態と同様の動作が得られる。
【００５４】
以上の各実施形態のＬＥＤ点灯装置１によると、異なるオンデューティ範囲を持つＰＷＭ調光器３０がＬＥＤ点灯装置１に接続される場合に対して、確実に全光点灯〜最深調光点灯及び消灯を実現することができる。従って、光源装置３が対応できるＰＷＭ調光器が拡充され、光源装置３の汎用性が高まる。また、最深調光点灯と消灯との境界付近におけるオンデューティ範囲において、ヒステリシス区間Ｕ２〜Ｕ３を設けたことにより、ＰＷＭ調光信号の変動に起因する不要な点滅動作が確実に回避される。
【００５５】
以上に、本発明の好適な実施形態を記載したが、本発明は以下に示すような種々の変形が可能である。
例えば、上記各実施形態では、下限オンデューティＬ１から上限オンデューティＵ１の範囲において、入力オンデューティＳと電流指令値Ｔの関係が一次関数となるものを示したが、ユーザの使い勝手等を考慮してその関係が他の関数となるようにしてもよい。
【００５６】
また、上記各実施形態においては、停止信号によって電流制御回路１３の動作が停止される構成を示したが、停止信号によってＡＣ−ＤＣ変換回路１２の動作が停止されてＬＥＤ２が消灯される構成としてもよい。
【００５７】
また、第１の実施形態では、マイコン２４に対してＡ／Ｄコンバータ２３及びＤ／Ａコンバータ２５を別途設ける構成を示したが、Ａ／Ｄコンバータ２３及びＤ／Ａコンバータ２５の少なくとも一方がマイコン２４に内蔵される構成としてもよい。同様に、第２の実施形態において、Ｄ／Ａコンバータ２５がマイコン２４に内蔵される構成としてもよい。
【００５８】
また、上記各実施形態においては、ＬＥＤ点灯装置１に有線接続されたＰＷＭ調光器３０からＰＷＭ調光信号が入力される構成を示したが、リモコン調光器から無線信号（例えば、赤外線信号）によりＬＥＤ点灯装置１にＰＷＭ調光信号が入力される構成としてもよい。この場合、ＬＥＤ点灯装置１のＰＷＭ調光信号入力回路２１はＰＷＭ調光信号の受信部（受光部）と受信信号を電気信号に変換する変換回路が必要になる。
【符号の説明】
【００５９】
１  ＬＥＤ点灯装置
２  ＬＥＤ
３  光源装置
１０  電源回路部
２０  調光制御部
【図１】
2014203631.tif 000003
【図２】
2014203631.tif 000004
【図３Ａ】
2014203631.tif 000005
【図３Ｂ】
2014203631.tif 000006
【図４】
2014203631.tif 000007